(57)【要約】【課題】押出成型機により廃棄物は減容成型され、この押出成型機から排出される被処理物は搬送コンベヤにより排出位置へと搬送されることになり、この際、搬送コンベヤをパイプコンベヤにより形成し、このパイプコンベヤ内の搬送経路の途中に被処理物を冷却するための冷却水を貯水可能な貯水部を設けてなるから、搬送設備の簡素化並びに製作コストの低減を図ることができる。【解決手段】廃棄物を減容成型する押出成型機１と、押出成型機から排出される被処理物Ｗを搬送する搬送コンベヤ２とを備えてなり、搬送コンベヤをパイプコンベヤ３により形成し、パイプコンベヤ内の搬送経路Ｒの途中に被処理物を冷却するための冷却水Ｍを貯水可能な貯水部４を設けてなる。【選択図】図１
2007185785.tif 000002
【特許請求の範囲】
【請求項１】
廃棄物を減容成型する押出成型機と、該押出成型機から排出される被処理物を搬送する搬送コンベヤとを備えてなり、上記搬送コンベヤをパイプコンベヤにより形成し、該パイプコンベヤ内の搬送経路の途中に該被処理物を冷却するための冷却水を貯水可能な貯水部を設けてなることを特徴とする被処理物冷却装置。
【請求項２】
上記パイプコンベヤは上記被処理物が通過移送可能な搬送パイプと、該搬送パイプ内に牽引移動可能に内装され、間隔を置いてブレードを取り付けた移送チェーンとからなることを特徴とする請求項１記載の被処理物冷却装置。
【請求項３】
上記貯水部に上記冷却水を補給する補給部を設けると共に該貯水部内の冷却水の貯水状態を検出して冷却水の補給制御を行う補給制御部を設けてなることを特徴とする請求項１又は２記載の被処理物冷却装置。
【発明の詳細な説明】
【技術分野】
【０００１】
本発明は例えば破砕した廃プラスチック類を押出成型機により減容成型した被処理物、いわゆるＲＰＦ（Ｒｅｆｕｓｅ  Ｐａｐｅｒ＆Ｐｌａｓｔｉｃ  Ｆｕｅｌ）を搬送する際に用いられる被処理物冷却装置に関するものである。
【背景技術】
【０００２】
従来、この種の押出成型機として、例えば、一方側部に破砕した廃プラスチック類などの被処理物の投入部を設けると共に他方側部に排出部を設けてなるケーシングと、ケーシング内にその羽根部が互いに重なり合った状態で回転自在に並設された一対のスクリュウ軸と、一対のスクリュウ軸を咬合方向に回転させる駆動機構と、ケーシングの排出部に設けられ、一対のスクリュウ軸の咬合回転により圧縮減容移送されてくる被処理物を排出する複数個の排出口部をもつダイスプレートとからなる構造のものが知られている。
【特許文献１】特開２００５−１９９５２２
【発明の開示】
【発明が解決しようとする課題】
【０００３】
しかしながらこれら従来構造の場合、上記押出成型機のダイスプレートの排出口部から排出されてくる被処理物は圧縮減容成型により自己発熱し、被処理物を保管施設などに搬送する際には火災の発生が起きないように外気温度を大きく上回らない温度に冷やす必要性があるという不都合を有している。
【課題を解決するための手段】
【０００４】
本発明はこれらの不都合を解決することを目的とするもので、本発明のうちで、請求項１記載の発明は、廃棄物を減容成型する押出成型機と、該押出成型機から排出される被処理物を搬送する搬送コンベヤとを備えてなり、上記搬送コンベヤをパイプコンベヤにより形成し、該パイプコンベヤ内の搬送経路の途中に該被処理物を冷却するための冷却水を貯水可能な貯水部を設けてなることを特徴とする被処理物冷却装置にある。
【０００５】
又、請求項２記載の発明は、上記パイプコンベヤは上記被処理物が通過移送可能な搬送パイプと、該搬送パイプ内に牽引移動可能に内装され、間隔を置いてブレードを取り付けた移送チェーンとからなることを特徴とするものであり、又、請求項３記載の発明は、上記貯水部に上記冷却水を補給する補給部を設けると共に該貯水部内の冷却水の貯水状態を検出して冷却水の補給制御を行う補給制御部を設けてなることを特徴とするものである。
【発明の効果】
【０００６】
本発明は上述の如く、請求項１記載の発明にあっては、押出成型機により廃棄物は減容成型され、この押出成型機から排出される被処理物は搬送コンベヤにより排出位置へと搬送されることになり、この際、搬送コンベヤをパイプコンベヤにより形成し、このパイプコンベヤ内の搬送経路の途中に被処理物を冷却するための冷却水を貯水可能な貯水部を設けてなるから、押出成型機から排出される被処理物はパイプコンベヤ内の搬送経路を搬送される途中において貯水部内の冷却水により冷却されることになり、このため、押出成型機から排出されてくる被処理物を搬送途中において連続的に搬送しつつ冷却することができ、被処理物の自己発熱による火災の発生を防ぐことができ、搬送設備の簡素化並びに製作コストの低減を図ることができる。
【０００７】
又、請求項２記載の発明にあっては、上記パイプコンベヤは上記被処理物が通過移送可能な搬送パイプと、該搬送パイプ内に牽引移動可能に内装され、間隔を置いてブレードを取り付けた移送チェーンとからなるので、一層構造を簡素化することができると共に搬送経路の融通性を高めることができ、又、請求項３記載の発明にあっては、上記貯水部に上記冷却水を補給する補給部を設けると共に貯水部内の冷却水の貯水状態を検出して冷却水の補給制御を行う補給制御部を設けてなるから、冷却水の補給を容易に行うことができ、冷却効果を維持することができる。
【発明を実施するための最良の形態】
【０００８】
図１乃至図６は本発明の実施の形態例を示し、１は押出成型機であって、この場合、押出成型機１は、一方側部に破砕した廃プラスチック類などの被処理物Ｗの投入部を設けると共に他方側部に排出部１ａを設けてなるケーシング１ｂと、ケーシング１ｂ内にその羽根部が互いに重なり合った状態で回転自在に並設された一対のスクリュウ軸１ｃ・１ｃと、一対のスクリュウ軸１ｃ・１ｃを咬合方向に回転させる駆動機構と、ケーシング１ｂの排出部１ａに設けられ、一対のスクリュウ軸１ｃ・１ｃの咬合回転により圧縮減容移送されてくる被処理物Ｗを排出する複数個の筒状の排出口部１ｄ・・・もつダイスプレート１ｅとにより構成されている。
【０００９】
しかして、廃プラスチック類などの被処理物Ｗを投入部に投入し、ケーシング１ｂ内において、一対のスクリュウ軸１ｃ・１ｃの回転により被処理物Ｗを圧縮減容移送し、複数個の排出口部１ｄ・・・より略円柱固形状の被処理物Ｗを排出落下するように構成している。
【００１０】
２は搬送コンベヤであって、この場合、パイプコンベヤ３が用いられ、このパイプコンベヤ３は上記被処理物Ｗが通過移送可能な搬送パイプ３ａと搬送パイプ３ａ内に牽引移動可能に内装され、間隔を置いて円盤状のブレード３ｂを取り付けた移送チェーン３ｃとからなり、図示省略の牽引機構により移送チェーン３ｃを循環移送し、上記押出成型機１から落下排出される被処理物Ｗをパイプコンベヤ３に設けた図示省略の排出部へと搬送するように構成されている。
【００１１】
４は貯水部であって、この場合、上記パイプコンベヤ３内の搬送経路Ｒの途中としての一方の垂直搬送部ＲVから水平搬送部ＲHを経て他方の垂直搬送部ＲVに至る上記受口部３ｄに臨む搬送経路Ｒの水平搬送部ＲH内を該被処理物を冷却するための冷却水Ｍを貯水可能に形成されてなり、かつ、この貯水部４に上記冷却水Ｍを補給する補給部５の給水口を設けると共に貯水部４内の冷却水Ｍの貯水状態を検出して冷却水の補給制御を行う補給制御部６を設けて構成している。
【００１２】
この場合、上記受口部３ｄに貯水部４内の冷却水Ｍの液面Ｍ1を検出する上下一対の液面センサー６ａ・６ａを接続し、液面センサー６ａ・６ａに図示省略の電磁弁を電気的に接続し、電磁弁に補給部５及び給水源を接続し、下限の液面センサー６ａにより冷却水の蒸発現象等による液面Ｍ1の低下を検出して給水源から貯水部４内に冷却水Ｍを補給し、上限の液面センサー６ａにより給水を停止して冷却水Ｍの補給制御を行うように構成している。
【００１３】
又、この場合、上記押出成型機１の複数個の排出口部１ｄに対向して排出口部１ｄから排出される被処理物Ｗを払い落とす払落機構７を設け、この払落機構７はモータ７ａにより駆動される回転軸７ｂの先端部に複数個の払落羽根体７ｃを取付け、上記受口部３ｄに払落羽根体７ｃにより払い落とされた被処理物Ｗを受口部３ｄに落下案内可能なカバー部材７ｄを設けて構成している。
【００１４】
この実施の形態例は上記構成であるから、押出成型機１により廃棄物は減容成型され、この押出成型機１から排出される被処理物Ｗは搬送コンベヤ２により排出位置へと搬送されることになり、この際、搬送コンベヤ２をパイプコンベヤ２により形成し、このパイプコンベヤ３内の搬送経路Ｒの途中に被処理物Ｗを冷却するための冷却水Ｍを貯水可能な貯水部４を設けてなるから、押出成型機１から排出される被処理物Ｗはパイプコンベヤ１内の搬送経路Ｒを搬送される途中において貯水部４内の冷却水Ｍにより冷却されることになり、このため、押出成型機１から排出されてくる被処理物Ｗを搬送途中において連続的に搬送しつつ冷却することができ、被処理物Ｗの自己発熱による火災の発生を防ぐことができ、搬送設備の簡素化並びに製作コストの低減を図ることができる。
【００１５】
又、この場合、上記パイプコンベヤは上記被処理物が通過移送可能な搬送パイプ３ａと該搬送パイプ３ａ内に牽引移動可能に内装され、間隔を置いてブレード３ｂを取り付けた移送チェーン３ｃとからなるので、一層構造を簡素化することができると共に搬送経路の融通性を高めることができ、又、この場合、上記貯水部４に上記冷却水Ｍを補給する補給部５を設けると共に貯水部４内の冷却水Ｍの貯水状態を検出して冷却水Ｍの補給制御を行う補給制御部６を設けてなるから、冷却水Ｍの補給を容易に行うことができ、冷却効果を維持することができる。
【００１６】
尚、本発明は上記実施の形態例に限られるものではなく、押出成型機１、パイプコンベヤ３、貯水部４の構造や形態、配置する位置等は適宜設計して変更されるものである。
【００１７】
以上、所期の目的を充分達成することができる。
【図面の簡単な説明】
【００１８】
【図１】本発明の実施の形態例の側断面図である。
【図２】本発明の実施の形態例の平断面図である。
【図３】本発明の実施の形態例の側断面図である。
【図４】本発明の実施の形態例の部分拡大側断面図である。
【図５】本発明の実施の形態例の部分拡大側断面図である。
【図６】本発明の実施の形態例の部分拡大横断面図である。
【符号の説明】
【００１９】
Ｗ    被処理物
Ｒ    搬送経路
Ｍ    冷却水
１    押出成型機
２    搬送コンベヤ
３    パイプコンベヤ
４    貯水部
５    補給部
６    補給制御部
【図１】
2007185785.tif 000003
【図２】
2007185785.tif 000004
【図３】
2007185785.tif 000005
【図４】
2007185785.tif 000006
【図５】
2007185785.tif 000007
【図６】
2007185785.tif 000008